(57)【要約】分配構造（２０）は、製品をそこから分配することができる、開口を有する容器用に設けられる。この構造（２０）は、容器開口の周りに延びる本体（３０）を含む。本体（３０）は、容器開口と通じる第１の分配開口部（７８）を画定する。中間部材（４０）が、第１の分配開口部（７８）より小さな少なくとも１個の第２の分配開口部（１３０）を画定する。中間部材（４０）は、閉位置と開位置の間で軸まわりに旋回できる。蓋（５０）は、クロージャ本体（３０）の上で中間部材（４０）と同じ軸まわりに旋回でき、蓋（５０）は閉位置と開位置の間で旋回できる。
2004532774.tif 000002
【特許請求の範囲】
【請求項１】
容器内部への開口を有する容器用の分配構造（２０）であって、
前記容器開口と連通する第１の分配開口部（７８）を画定し、容器開口の周りに延びる本体（３０）と、
前記第１の分配開口部（７８）より小さな少なくとも１個の第２の分配開口部（１３０）を画定する中間部材（４０）であって、（１）前記第２の分配開口部（１３０）を前記第１の分配開口部（７８）の上に配置し、前記第２の分配開口部（１３０）を超えて周方向に延びる前記第１の分配開口部（７８）の周面部を塞ぐように、前記本体と密封係合する閉位置と、（２）前記第１の分配開口部（７８）と完全に通じることができる、前記閉位置から離れた開位置の間で、軸まわりに旋回できる中間部材（４０）と、
（１）前記中間部材（４０）が閉位置にあり、それによって前記第２の分配開口部（１３０）が密封可能に塞がれる場合、前記中間部材（４０）と密封係合するような前記第２の分配開口部（１３０）上の蓋の閉位置と、（２）前記中間部材（４０）が前記閉位置にある場合、前記第２の分配開口部（１３０）に通じることができるように、前記蓋の閉位置から離れた開位置の間で、前記軸まわりに旋回できる蓋（５０）とを備える分配構造。
【請求項２】
前記分配構造が、前記容器の端部用のクロージャであり、容器端部が前記容器開口を画定し、前記クロージャが前記本体、前記中間部材、及び前記蓋を含む、請求項１に記載の分配構造。
【請求項３】
前記クロージャが前記容器とは別の物品であり、前記本体を前記容器開口の上の前記容器端部に取外し可能に取り付けることができる、請求項２に記載の分配構造。
【請求項４】
前記容器が、前記容器開口を画定する前記端部を形成する周壁面を含み、
前記本体が、前記容器端部開口より小さな前記第１の分配開口部を画定するように、前記容器端部の一体部分として前記容器端部開口の上の前記周壁面から径方向内側に延びる、請求項２に記載の分配構造。
【請求項５】
前記本体の第１及び第２の分配開口部がそれぞれ、ほぼ円形の流領域を有する、請求項１に記載の分配構造。
【請求項６】
前記中間部材が、一部円形部を有し、前記ヒンジとほぼ正反対側の位置で前記本体の外側に延びるリフト・タブを有する、請求項１に記載の分配構造。
【請求項７】
前記本体及び中間部材が、前記本体及び中間部材の前記軸まわりの旋回に対応するヒンジによって結合される一体構造として共に成型される、請求項１に記載の分配構造。
【請求項８】
前記中間部材及び前記蓋が、前記中間部材及び蓋の前記軸まわりの旋回に対応するヒンジによって結合される一体構造として共に成型される、請求項１に記載の分配構造。
【請求項９】
前記クロージャ本体が、前記第１の分配開口部に隣接する可撓性及び弾力性のある環状のフランジを含み、
前記中間部材が、前記クロージャ本体上の前記弾力性のある環状フランジと密封係合するフランジを含む、請求項１に記載の分配構造。
【請求項１０】
前記中間部材が、１対の後側に延びるラグ、及び前記軸を画定するための前記ラグに連結されるシャフトを有し、
前記本体が、前記シャフトを受けるように、開口した軸受表面をそれぞれ画定する、１対のポストを含み、
前記蓋が、前記シャフトを受けるように、開口した軸受表面をそれぞれ画定する１対のラグを有する、請求項１に記載の分配構造。
【請求項１１】
前記蓋がサム・リフトを含み、前記中間部材がサム・リフトを含む、請求項１の記載の分配構造。
【請求項１２】
前記蓋が、スナップばめビードを有するカラーを含み、
前記中間部材の第２の分配開口部が、スナップばめビードを有するスパウトによって包囲されて、前記中間部材の前記蓋内への受入れに対応するように前記蓋と前記中間部材の間で解放可能なスナップばめ係合を実施し、前記蓋及び前記中間部材を前記閉位置及び開位置の間で入れ子状構造で共に旋回させることを可能にする、請求項１に記載の分配構造。
【発明の詳細な説明】
【技術分野】
【０００１】
本発明は、製品を容器から分配するシステムに関する。本発明はより詳細には、２つの異なる分配オリフィスのいずれか１つを通して製品を容易に取り除くことができるシステムに関する。
【背景技術】
【０００２】
分配パッケージ又は容器を含む、さまざまなパッケージが、ハーブ、スパイス、粒状塩等や他の材料などの粒子状の食品用に開発された。このような容器は普通、開口する上端部の上にクロージャが取り付けられている。
【０００３】
米国特許第５，９７５，３６８号は、２個の比較的大きな並んだ開口部を画定する本体を有する、分配容器用の分配クロージャの一種を開示している。複数の分配穴を画定する小孔部材が、（１）２個の並んだ開口部の上の第１の位置と、（２）並んだ開口部から離れた第２の位置の間で旋回するようにヒンジで取り付けられる。小孔部材がクロージャ本体内の並んだ開口部の上にあるときに、小孔部材の上で開位置と閉位置の間で旋回するように、蓋が本体にヒンジ付けされる。閉位置では、蓋は小孔部材内の複数の開口部を密封可能に閉塞する。蓋が開いている場合、（１）クロージャ本体内の２個の並んだ開口部を通して製品に到達することができるように、クロージャ本体内の２個の並んだ開口部から離れた全開位置と、（２）小孔部材の開口部を通して容器内容物を振り掛けることができるように、小孔部材がクロージャ本体内の２個の並んだ開口部の上に配置される閉位置との２つの選択位置のいずれかに、小孔部材を移動させることができる。
【発明の開示】
【発明が解決しようとする課題】
【０００４】
それ用に設計された応用例で使用すると、上記容器クロージャは十分機能するが、ある特定の動作上の利点をもたらし、ある特定の設計の変更に対応する容器のための改良型の分配システムを提供することが望ましいであろう。
【０００５】
改良型の分配構造は、第１の分配開口部を備える本体と、蓋と、中間部材とを有し、中間部材は、少なくとも１個のより小さな分配開口部を画定し、開位置と閉位置の間で蓋と共に容易に回転することができ、蓋を別に回転させたり、中間部材を別に回転させたりする必要がなくなることが特に望ましいであろう。
【０００６】
また、このような改良型の分配構造は、クロージャ本体内のより大きな分配開口部への障害物のない通り道を設ける、開位置でより一体化した構成を示すように、開位置で互いにより密に嵌合できる中間部材と蓋を備えることができれば有利であろう。
【０００７】
このような改良型の分配構造は、クロージャ本体と中間部材を連結する、又は中間部材と蓋を連結する成型された一個構成のヒンジの使用にも対応できれば利益があろう。
【０００８】
さらに、このような改良型の分配構造は、分配構造が閉状態であるとき、容器内の製品の鮮度を保存するように働く密閉蓋システムに対応できれば望ましいであろう。
【０００９】
このような改良型の分配構造は、さまざまな異なる材料の使用に対応できれば利益があろう。
【００１０】
さらに、このような改良型の分配構造は、製品不合格率の低い、効率的、高品質、かつ大量向けの製造技術に対応する設計を備えることができれば望ましいであろう。
【００１１】
本発明は、上述の利点及び特徴を有する設計に対応できる改良型の分配構造を提供する。
【課題を解決するための手段】
【００１２】
本発明の一態様によれば、分配システム又は構造が、容器内部への開口を有する容器に設けられる。この分配構造は、容器開口の周りに延びる本体を含む。この本体は、容器開口と連通する第１の分配開口部を画定する。
【００１３】
分配構造はさらに、第１の分配開口部より小さな、少なくとも１個の第２の分配開口部を画定する中間部材を含む。中間部材は、（１）第２の分配開口部を第１の分配開口部の上に配置し、第２の分配開口部を超えて周方向に延びる第１の分配開口部の周面を塞ぐように、本体と密封係合する閉位置と、（２）第１の分配開口部と完全に通じることができるように、閉位置から離れた開位置の間で、軸まわりに旋回することができる。
【００１４】
蓋は、（１）中間部材が閉位置にあり、それによって第２の分配開口部が密封可能に塞がれる場合、中間部材と密封係合する、第２の分配開口部上の蓋の閉位置と、（２）中間部材が閉位置にある場合、第２の分配開口部に通じることができるように、蓋の閉位置から離れた開位置の間で、軸まわりに旋回することができる。
【００１５】
本発明の多くの他の利点及び特徴は、本発明の以下の詳細な説明、特許請求の範囲、及び添付の図面からすぐに明らかになろう。
【実施例】
【００１６】
明細書の一部をなす添付の図面において、全体を通して同様の部品を示すのに同様の数字を使用する。
【００１７】
本発明は、多くの異なる形態の実施例が可能であるが、本明細書及び添付の図面は、本発明の例として一つの特定の形態のみを開示している。しかし、本発明は、このように記載した実施例に限ることを意図したものではない。本発明の範囲は、添付の特許請求の範囲に示す。
【００１８】
説明を簡単にするために、本発明の分配構造を、通常（直立）の動作位置で記載し、上側、下側、水平などの用語は、この位置に関して使用する。しかし、本発明の分配構造は、記載した位置以外の向きで、製造し、格納し、搬送し、使用し、また販売することができることが分かろう。
【００１９】
本発明の分配構造又はシステムの現在好ましい実施例が、図１〜９に図示され、図１の参照番号２０によってここに全体的に示す。例示した好ましい実施例においては、分配構造２０は、容器（図示せず）上に取り付けられるようになっている、クロージャ２０の形で設けられている。容器の本体は、容器の本体とは別の異なる断面形状をしている、上向きに突出するネックを備える適切な構成を有していてもよい。
【００２０】
この容器は普通、液体材料、糊状材料、粉末材料、粒状材料、又は他の粒子状材料を含む。容器は、１つ又は複数の剛性壁面を有していても、あるいは１つ又は複数のいくらか可撓性のある壁面を有していてもよい。（容器がこのようなネックを有する場合）容器は普通、容器ネックの上端部で開口を画定する。
【００２１】
容器自体は、本発明の一部自体を必ずしも形成する必要はないが、本発明の分配構造又はシステムを、容器の上部の一体部分又は延長部として設けることができることが分かろう。しかし、例示する好ましい実施例においては、分配構造２０は、容器内部への開口を有する、前に製造した容器に取り付けられるようになっている、別の要素（すなわち、クロージャ）である。
【００２２】
図５に示すように、本発明の好ましい実施例のクロージャ又は分配構造２０は、基部又は本体３０、中間部材４０、及び蓋５０を含む。中間部材４０、蓋５０、及び本体３０は、以下に詳しく説明する手段によってヒンジ連結される。これにより、蓋５０を本体３０に取り付けて維持しながら、閉位置（図１）から開位置（図４）までの蓋５０の移動に対応し、またこれにより、蓋５０、中間部材４０、及び本体３０の連結を維持しながら、閉位置（図４）から開位置（図７）までの中間部材４０の移動も可能になる。
【００２３】
図２、３に示すように、分配構造２０の好ましい実施例においては、本体３０は、容器（図示せず）の上端部を取外し可能又は取外し不可能に受けるように、スカート６２を有するもしくは画定することを特徴とすることができる。スカート６２は内部に、噛合い容器ねじ（図示せず）とねじ係合するようになっている、従来のねじ６４（図２）などの適切な連結手段を含む。クロージャ本体３０及び容器はまた、二重スナップ嵌合ビード係合又は噛合いビード及び溝係合のいずれかで取り付けることもできる。
【００２４】
クロージャ本体３０はまた、クロージャ本体３０及び容器に使用される材料に応じて、誘導溶融、超音波溶融、接着などの手段によって容器に恒久的に固定される。前に述べたように、クロージャ本体はまた、容器の一体部又は延長部として形成することもできる。
【００２５】
スカート６２の前面外部は、サム・リセス６３を含む。リセス６３の上では、図４に図示するように、クロージャ本体３０の上部が周面デッキ６６を画定する。プラットフォーム７０が、スカート６２の内側でデッキ６６から上向きに延びる。プラットフォーム７０の側壁は、ビード７２を有する。
【００２６】
図３に示すように、リング又はカラー７４が、プラットフォーム７０から上向きに延びる。カラー７４は、クロージャ本体３０を通って第１の分配開口部７８を包囲し、画定して、クロージャ本体３０が容器上に取り付けられると、容器内部に通じる。図２及び３から分かるように、カラー７４は、後部にあるときよりも（サム・リセス６３に隣接する）前部にあるときに高い。しかし、カラー７４は、所望なら、前部にあるときに低くすることもできる。カラー７４の内側に、径方向内側に延びる環状の可撓性密封フランジ８０がある。密封フランジ８０は、中間部材が図２に示すように閉じている場合、中間部材４０の一部と密封係合するように変形するようになっている。
【００２７】
クロージャ本体のデッキ６６の後部には、上向きに開口した一部円筒形の軸受表面９０（図３）をそれぞれ画定する、１対の上向きに突出するヒンジ支持ポスト８６がある。
【００２８】
図８に示すように、中間部材４０は、下向きに下がるスカート１０４によって囲まれるデッキ１０２を有する。スカート１０４の前部には、外側に突出するサム・リフト又はフィンガ・リフト１０６がある。中間部材４０の後部には、中間部材のスカート１０４からそれぞれ後側に突出し、ロッド１２０の円筒形構造の軸に一致する主ヒンジ軸を画定するほぼ円筒形のシャフト又はロッド１２０によって、遠位端部の近くで結合される、１対のラグ１１０がある。ロッド１２０は、クロージャ本体のポスト８６の軸受表面９０上に受けられて、その上で回転するようになっている。図５から分かるように、中間部材のラグ１１０及びクロージャ本体のポスト８６は、ポスト８６がラグ１１０の間にあるように配置されている。所望なら、ロッド１２０は、たとえば、楕円形、三角形などの円形以外の断面形状をもつことができる。このような他の形状を使用して、ロッドに対して偏倚した又は好ましい位置をもたらすことができる。
【００２９】
図３を参照すると、軸受表面９０上の各クロージャ本体のポスト８６の開口は、軸受表面９０の直径よりもいくらか小さく、中間部材のシャフト又はロッド１２０の直径よりもいくらか小さい。軸受表面９０への開口における各ポスト８６の一部は、スナップばめ係合でのシャフト又はロッド１２０の挿入に対応して、各軸受表面９０上のシャフト又はロッド１２０の回転に対応するのに十分な可撓性及び弾力性がある。
【００３０】
図４に示すように、中間部材のデッキ１０２は、デッキ１０２から上向きに突出するフランジ又はスパウト１３２によって囲まれた少なくとも１個の第２の分配開口部１３０を含む。スパウト１３２の上部周面部は、径方向外側に突出する環状のビード１３４を含む。
【００３１】
図８によく示すように、中間部材４０は、中間部材４０が全閉位置（図２に示す）にある場合、クロージャ本体３０上の密封フランジ８０と密封係合する、下向きに突出する環状のフランジ１４０を含む。
【００３２】
図８によく示すように、中間部材のスカート１０４の内側アーチ状部は、径方向内側に突出するビード１５０を含む。図２に示すように、中間部材４０が全閉位置にある場合、中間部材のスカート・ビード１５０は、クロージャ本体のデッキ・プラットフォーム７０のアーチ状の側壁部上の重なり噛合いビード７２の下でスナップばめ係合する。これは、サム・リフト・タブ１０６（図４）上に上向きに押し付けることによって強制的に係合が外されない限り、それまでは、中間部材４０を閉位置に保持するように働く。
【００３３】
カバー又は蓋５０は、図６及び９に、中心部又はデッキ２０２及び下向きに下がる周面スカート２０４を含むように示されている。サム・リフト２０６が、スカート２０４の前部から外側に突出している。図１に示すように、中間部材４０のサム・リフト１０６を受けるための切欠き２０８が、サム・リフト２０６に隣接している。
【００３４】
図９に示すように、蓋５０の後部は、１対の離れた切欠き２１０を含む。１対のラグ２１２が切欠き２１０の間にあり、各ラグ２１２は、中間部材４０のロッド又はシャフト１２０の一部分を受けるように、上側に開口する軸受表面２１４を画定する。蓋５０が、中間部材のシャフト１２０が蓋ラグの軸受表面２１４内に受けられるように取り付けられると、蓋の切欠き２１０は、図４及び５から分かるように、クロージャ本体ポスト８６及び２つの中間部材のラグ１１０を受ける。
【００３５】
図９から分かるように、蓋５０は、蓋デッキ２０２の下側から下向きに突出する密封フランジ又はカラー２４０を有する。カラー２４０の開口する遠位端部に隣接して、内側に突出する環状のビード２５０がある。蓋５０が、図２に示すように全閉位置にある場合、蓋のカラー２４０は、中間部材のスパウト１３２の外側に受けられ、蓋フランジのビード２５０は、スパウトのビード１３４の下でスナップばめ係合して受けられて、サム・リフト２０６上に押し付けることによって蓋５０が上向きに旋回させられない限り、それまでは、蓋５０を閉じておく。
【００３６】
分配構造２０は、簡単に使用される。使用者は普通、容器（図示せず）上に取り付けられた初期閉状態（図１及び２）の分配構造２０に対面する。使用者はまず、指又は親指で蓋のリフト・タブ２０６に上向きの力を加えることにより、蓋５０を持ち上げることができる。蓋５０は、図４に示すように全開位置まで回転して、中間部材４０の分配開口部１３０を露出させることができる。容器から分配開口部１３０を通して製品を分配する代わりに、使用者は、図７に示すように、そのリフト・タブ１０６で中間部材４０を全開位置まで最初に持ち上げようとすることもできる。しかし、このシステムをより効率的に使用するためには、使用者は最初に、図１及び２に示す閉位置から図７に示す開位置まで、上向きに中間部材４０と蓋５０を一緒に持ち上げることができる。使用者は、単に中間部材のリフト・タブ１０６だけを上向きに持ち上げることによって、これを行うことができる。
【００３７】
図６を参照すると、中間部材５０は、開位置で蓋５０内に嵌合し、入れ子状に収まり、それによって構造がより小型になり、クロージャ本体の分配開口部７８の周りに実質的な隙間が提供されることが分かろう。
【００３８】
クロージャ本体の分配開口部７８は、スプーン又は他の器具で容器の内部に到達することができるように、又は分配開口部７８を通って大きな流れの製品の注入に対応できるように、比較的大きい。
【００３９】
直径が小さい排出流の製品などの、量が少ない製品を分配したい場合、中間部材はまず、閉位置（図４）にあるままであるか、あるいは開位置（図７）から閉位置（図４）まで戻ることができる。中間部材４０が図４に示す閉位置にある場合、クロージャ本体の分配開口部７８よりも実質的に小さい可能性がある中間部材の分配開口部１３０を通って容器から製品を排出することができる。中間部材４０が図４に示す閉位置にある場合、中間部材のフランジ１４０（図２）は、より大きな分配開口部７８内のクロージャ本体の可撓性密封フランジ８０と密封係合する。さらに、中間部材４０のデッキ部１０２は、より小さな第２の分配開口部１３０を超えて周方向に延びる、より大きな第１の分配開口部７８の周面部を塞ぐ。
【００４０】
使用者が、分配クロージャ２０を通して製品を分配するのを終了すると、蓋５０を図１及び２に示す閉位置まで戻すことができる。中間部材４０が蓋５０の開位置にある場合、中間部材４０と蓋５０は共に、閉位置まで戻ることができる。閉位置において、蓋５０は中間部材４０と密封係合して、第２の分配開口部１３０を密封可能に塞ぎ、それによって分配構造２０からの流出を防ぐ。
【００４１】
分配構造２０を使用する多くの応用例は、１つ又は複数の適当な熱可塑性材料から分配構造２０を成型することによって、最も都合よく達成されることが現在分かっている。図示する好ましい実施例において、本体３０、中間部材４０、及び蓋５０は、それぞれ、ポリプロピレンなど適切な熱可塑性材料で成形することができよう。本体３０、中間部材４０、及び蓋５０は、同じ材料又は異なる材料から別に成型することができる。材料は、同じ又は異なる色をしていてもよい。
【００４２】
また、上述のものの代わりに、さまざまな保持構造が、設置位置又は閉位置に小孔部材４０を解放可能に保持するために設けることができることも分かろう。さらに、上述のものの代わりに、適当な締まりばめ構造又はラッチ構造を、蓋５０を閉位置に解放可能に保持するために従来又は非従来の設計で設けることができる。このような従来の蓋保持構造は、蓋及び本体上の極めて小さなリブ（図示せず）間に、適当な締まりばめ又はスナップばめ係合、あるいは蓋上の極めて小さなリブと本体上の噛合い溝又はその反対（図示せず）の間にスナップばめ係合を含むことができる。
【００４３】
分配構造２０はまた、適切なタンパー・エビデンス特徴及び／又はチャイルド・レジスタンス特徴を組み込むように簡単に設計することができることも分かろう。このような特徴は、クロージャ本体及び蓋の構造内に組み込むことができ、かつ／あるいはオーバーキャップ構造又は伸縮フィルム・システム（図示せず）を含むことができる。
【００４４】
中間部材４０が、開口した蓋５０（図７）内に入れ子状に収められた開位置にある場合、中間スパウトのビード１３４が蓋カラーのビード２５０とスナップばめ係合して、蓋５０及び中間部材４０を一緒に入れ子状の関係で保持する。このことにより、使用者は蓋５０及び中間部材４０の位置をより簡単に制御することができ、これによって使用者はより簡単に、クロージャ本体の分配開口部７８からの製品の分配に対応することができる。
【００４５】
図１〜９に示す実施例において、クロージャ本体のポスト８６は、中間部材のラグ１１０（図４）間に配置されている。しかし、代替実施例においては、クロージャ本体のポスト８６が中間部材のラグ１１０の外側にある可能性があることが分かろう。このような実施例では、ロッド又はシャフト１２０（図８）は、ラグ１１０の外部上のクロージャ本体のポスト８６内に受け入れられるように、各ラグ１１０を超えて横方向外側に延びる。
【００４６】
さらに、代替実施例においては、ロッド又はシャフト１２０はクロージャ本体のポスト８６の一部として成型することができ、中間部材のラグ１１０はシャフト１２０と係合するように、協働する開口した軸受表面を備えることができることが分かろう。
【００４７】
また、別の代替実施例において、ロッド又はシャフト１２０を蓋のラグ２１２の延長部として成型することができ、中間部材のラグ１１０は、蓋上のこのようなシャフトと係合するように、開口する軸受表面を備えることができる。
【００４８】
別の実施例において、中間部材４０及び蓋５０は、クロージャ本体のポスト８６（図３）の軸受表面９０内に受け入れられるように、（図８に示すシャフト１２０などの）一体又は単一シャフトを備える一体型ヒンジを画定する材料の薄い部分によって連結される一体構造として共に成型することができる。
【００４９】
別の方法では、中間部材４０及びクロージャ本体３０は、蓋の軸受表面２１４（図９）内に受け入れられるように、構造の一部として成型されるシャフト１２０（図８）などの一体型シャフトを備えるヒンジを画定する、材料の薄い部品によって連結される一体型構造として共に成型することができる。前述の最後の２つの実施例のそれぞれにおいて、分配クロージャは、図１〜９に図示するように、３部品クロージャというよりは、むしろ２部品クロージャである。このような２部品クロージャは、組立て過程がより簡単になるという利点があることがある。
【００５０】
本発明の分配構造を、容器用の別のクロージャとして設ける必要がないことも分かろう。クロージャ本体３０などのクロージャ本体を、容器の一体部品として代わりに成型することができる。容器の開口を画定する端部を形成する、周壁面を有する容器を、容器の端部開口の上の容器周壁面から径方向内側に延びる本体部と成型して、容器端部の一体部を形成することができ、容器端部開口より小さな、図３に示す分配開口部７８などの第１の分配開口部を画定することができる。
【００５１】
図１〜９に示す実施例においては、分配構造は、ねじ切り係合によって容器に取外し可能に取り付けることができる、クロージャの形をしている。その他の取外し可能な又は取外し不可能な取付けシステムを上に詳細に述べるように使用できることが分かろう。
【００５２】
本体の第１の分配開口部７８又は中間部材の第２の分配開口部１３０のいずれかは、たとえば、米国特許第５，８３９，６１４号に開示されたスリット型のバルブのいずれかなどの圧力動作可能なバルブ、又はこのようなバルブの変更形態を含むことができることを理解すべきである。
【００５３】
前述の発明の詳細な説明及びその図面から、多くの変更及び変更形態を、本発明の新規の概念又は原理の真の精神及び範囲から逸脱することなく、実施できることがすぐに分かろう。
【図面の簡単な説明】
【００５４】
【図１】容器（図示せず）上に取外し可能に取り付けることができるクロージャの形の、本発明の分配構造の好ましい一実施例を示す斜視図である。
【図２】図１の平面２−２にほぼ沿った拡大断面図である。
【図３】図１に示す分配構造又はクロージャの展開斜視図である。
【図４】図１と同様であるが、開方向にあるクロージャの蓋を示す図である。
【図５】図４と同様であるが、本体から離れて部分的に持ち上げられた中間部材を示す図である。
【図６】図５と同様であるが、わずかに下方の斜視図である。
【図７】図６と同様であるが、開位置まで完全に開口し、開いた蓋内で入れ子状に収まる中間部材を示す図である。
【図８】中間部材の下及び後からの斜視図である。
【図９】下からの蓋の斜視図である。
【国際公開パンフレット】
2004532774.tif 000003
2004532774.tif 000004
2004532774.tif 000005
2004532774.tif 000006
2004532774.tif 000007
2004532774.tif 000008
2004532774.tif 000009
2004532774.tif 000010
2004532774.tif 000011
2004532774.tif 000012
2004532774.tif 000013
2004532774.tif 000014
2004532774.tif 000015
2004532774.tif 000016
2004532774.tif 000017
2004532774.tif 000018
2004532774.tif 000019
2004532774.tif 000020
2004532774.tif 000021
2004532774.tif 000022
2004532774.tif 000023
2004532774.tif 000024
2004532774.tif 000025
【国際調査報告】
2004532774.tif 000026